(57)【要約】【課題】アナログ放送とデジタル放送との受信が可能な放送受信装置および放送録画再生装置において、アナログ放送の停波後にも、停波前と同様にアナログ放送受信部に電源供給されるため、余分な電力を消費することになってしまう。【解決手段】アナログ放送を受信して映像音声信号に復調するアナログ放送受信処理部と、デジタル放送を受信して映像音声ストリームを抽出するデジタル放送受信処理部と、映像音声ストリームをデコードして映像音声信号に復号する映像音声デコード部と、アナログ放送受信処理部からの映像音声信号とデコード部からの映像音声信号とから選局制御部の指示に応じた映像音声信号を選択し出力するスイッチ部等とから構成され、所定の切り替え操作によって、アナログ放送受信処理部の電源供給を停止すると共に、アナログ放送に関わる機能を無効化する。【選択図】図１
2006108974.tif 000002
【特許請求の範囲】
【請求項１】
チャンネル変更操作を検出し指定したチャンネルへの選局指示を行う選局制御部と、アナログ放送を受信して前記選局制御部からの指示に応じたチャンネルの映像信号あるいは音声信号のうち少なくとも一方を含む映像音声信号に復調するアナログ放送受信処理部と、デジタル放送を受信して前記選局制御部からの指示に応じたチャンネルの映像データあるいは音声データのうち少なくとも一方を含む映像音声ストリームを抽出するデジタル放送受信処理部と、前記映像音声ストリームをデコードして映像音声信号に復号する映像音声デコード部と、前記アナログ放送受信処理部からの映像音声信号と前記デコード部からの映像音声信号とから前記選局制御部の指示に応じた映像音声信号を選択し出力するスイッチ部と、所定の情報を視覚的に伝えるための画像を生成する画像生成部と、前記スイッチ部からの映像音声信号を入力とし前記画像生成部からの映像と切り替えてあるいは多重して出力する映像音声出力処理部とからなる放送受信装置であって、所定の切り替え操作によって、前記アナログ放送受信処理部の電源供給を停止すると共に、アナログ放送に関わる機能を無効化することを特徴とする放送受信装置。
【請求項２】
前記所定の切り替え操作は、ユーザが設定を切り替える操作であることを特徴とする請求項１記載の放送受信装置。
【請求項３】
前記所定の切り替え操作は、アナログ放送あるいはデジタル放送あるいはネットワーク経由で送られてくる切り替え指示を受けて実施されることを特徴とする請求項１記載の放送受信装置。
【請求項４】
前記所定の切り替え操作は、ユーザが設定した切り替え日時に達したことを装置内の日時情報を基準に検出して切り替える操作であることを特徴とする請求項１記載の放送受信装置。
【請求項５】
前記所定の切り替え操作は、アナログ放送あるいはデジタル放送あるいはネットワーク経由で送られてきた切り替え日時に達したことを装置内の日時情報を基準に検出して切り替える操作であることを特徴とする請求項１記載の放送受信装置。
【請求項６】
前記所定の切り替え操作は、デジタル放送あるいはネットワーク経由で装置の制御プログラムを入れ替えるあるいは修正することで切り替える操作であることを特徴とする請求項１記載の放送受信装置。
【請求項７】
前記所定の切り替え操作は、装置の制御プログラムあるいはその修正のためのプログラムが記録されたメディアを装置に装着し、制御プログラムを入れ替えるあるいは修正することで切り替える操作であることを特徴とする請求項１記載の放送受信装置。
【請求項８】
前記アナログ放送に関わる機能は、アナログ放送のチャンネルが選局でき、選局したチャンネルの映像信号あるいは音声信号を出力する機能であることを特徴とする請求項１から７記載の放送受信装置。
【請求項９】
前記アナログ放送に関わる機能は、アナログ放送の番組表情報をアナログ放送あるいはデジタル放送あるいはネットワーク経由で取得し、前記画面生成部で番組表を作成して前記映像音声出力処理部より出力する機能であることを特徴とする請求項１から７記載の放送受信装置。
【請求項１０】
チャンネル変更操作を検出し指定したチャンネルへの選局指示を行う選局制御部と、アナログ放送を受信して前記選局制御部からの指示に応じたチャンネルの映像信号あるいは音声信号のうち少なくとも一方を含む映像音声信号に復調するアナログ放送受信処理部と、前記アナログ放送受信処理部からの映像音声信号をデータ圧縮して映像音声ストリームを生成する映像音声エンコード部と、デジタル放送を受信して前記選局制御部からの指示に応じたチャンネルの映像データあるいは音声データのうち少なくとも一方を含む映像音声ストリームを抽出するデジタル放送受信処理部と、前記映像音声エンコード部からの映像音声ストリームと前記デジタル放送受信処理部からの映像音声ストリームとから前記選局制御部の指示に応じた映像音声ストリームを選択し出力するスイッチ部と、録画時には前記スイッチ部からの映像音声ストリームを記録メディアに記録する記録再生部と、再生時には前記記録再生部からの再生映像音声ストリームをデコードして映像音声信号に復号する映像音声デコード部と、所定の情報を視覚的に伝えるための画像を生成する画像生成部と、前記映像音声デコード部からの映像音声信号を入力とし前記画像生成部からの映像と切り替えてあるいは多重して出力する映像音声出力処理部とからなる放送録画再生装置であって、所定の切り替え操作によって、前記アナログ放送受信処理部の電源供給を停止あるいは前記アナログ放送受信処理部と前記映像音声エンコード部の両方の電源供給を停止すると共に、アナログ放送に関わる機能を無効化することを特徴とする放送録画再生装置。
【請求項１１】
前記所定の切り替え操作は、ユーザが設定を切り替える操作であることを特徴とする請求項１０記載の放送録画再生装置。
【請求項１２】
前記所定の切り替え操作は、アナログ放送あるいはデジタル放送あるいはネットワーク経由で送られてくる切り替え指示を受けて実施されることを特徴とする請求項１０記載の放送録画再生装置。
【請求項１３】
前記所定の切り替え操作は、ユーザが設定した切り替え日時に達したことを装置内の日時情報を基準に検出して切り替える操作であることを特徴とする請求項１０記載の放送録画再生装置。
【請求項１４】
前記所定の切り替え操作は、アナログ放送あるいはデジタル放送あるいはネットワーク経由で送られてきた切り替え日時に達したことを装置内の日時情報を基準に検出して切り替える操作であることを特徴とする請求項１０記載の放送録画再生装置。
【請求項１５】
前記所定の切り替え操作は、デジタル放送あるいはネットワーク経由で装置の制御プログラムを入れ替えるあるいは修正することで切り替える操作であることを特徴とする請求項１０記載の放送録画再生装置。
【請求項１６】
前記所定の切り替え操作は、装置の制御プログラムあるいはその修正のためのプログラムが記録されたメディアを装置に装着し、制御プログラムを入れ替えるあるいは修正することで切り替える操作であることを特徴とする請求項１０記載の放送録画再生装置。
【請求項１７】
前記アナログ放送に関わる機能は、アナログ放送のチャンネルが選局でき、選局したチャンネルの映像信号あるいは音声信号を出力する機能であることを特徴とする請求項１０から１６記載の放送録画再生装置。
【請求項１８】
前記アナログ放送に関わる機能は、アナログ放送の番組表情報をアナログ放送あるいはデジタル放送あるいはネットワーク経由で取得し、前記画面生成部で番組表を作成して前記映像音声出力処理部より出力する機能であることを特徴とする請求項１０から１６記載の放送録画再生装置。
【請求項１９】
前記アナログ放送に関わる機能は、アナログ放送の番組を録画する機能であることを特徴とする請求項１０から１６記載の放送録画再生装置。
【請求項２０】
アナログ放送の番組を録画する機能を無効化する際に、録画予約されているアナログ放送番組が存在する場合にはその予約を取り消すことを特徴とする請求項１９記載の放送録画再生装置。
【請求項２１】
録画予約されているアナログ放送番組の予約を取り消す際に、出力映像に予約を取り消した旨を通知するためのメッセージを表示することを特徴とする請求項２０記載の放送録画再生装置。
【発明の詳細な説明】
【技術分野】
【０００１】
本発明は、アナログ放送とデジタル放送が視聴あるいは録画再生可能な放送受信装置および放送録画再生装置に関するものである。
【背景技術】
【０００２】
２００３年１２月より地上デジタル放送が三大都市圏で開始されており、２００６年には国内全域への展開が完了する計画である。一方、従来からの地上アナログ放送は２０１１年に終了（停波）する計画であり、今後の地上アナログ放送終了まではアナログ放送とデジタル放送の混在した時代が続くことになる。アナログ放送とデジタル放送が混在している現在、アナログ放送チューナとデジタル放送チューナの両方を搭載したＴＶ放送受信装置あるいはＴＶ放送受信部内蔵のＴＶ放送録画装置が主流になりつつある。
【０００３】
アナログ放送とデジタル放送の両方を受信するＴＶ放送受信機あるいはＴＶ放送録画機においては、アナログ放送とデジタル放送とのどちらでも即座に選局して視聴あるいは録画するために、アナログ放送受信部もデジタル放送受信部も共に電源を供給しておく必要があり、機器の消費電力を高めてしまう。これは、アナログ放送が停波した後も同様である。
【０００４】
そこで、消費電力を抑える技術として、アナログ放送が受信できていないと判定された場合にはアナログ放送受信処理部の電源供給を停止することで消費電力の低減を実現するものがある（例えば、特許文献１参照）。
【特許文献１】特開２００１−１２８０８６号公報
【発明の開示】
【発明が解決しようとする課題】
【０００５】
しかしながら、上記の技術においてはアナログ放送が受信できているか否かを判定するためにアナログ放送の受信検出部が必要となる。この受信検出部には常時電源供給しておく必要があるため、アナログ放送受信部の全ての電源供給を停止することはできない。よって、消費電力の削減量も少なくなってしまう。また、アナログ放送が停波しているにもかかわらず、アナログ放送の選局や視聴などアナログ放送に関わる機能が選択できる状態のままであり、ユーザにとって余計な操作を強いることになる。余計は操作とは、例えば放送の選局時にアナログ放送のチャンネルを全てスキップするためチャンネルアップダウンキーを何度も押すことになってしまう操作などのことである。
【課題を解決するための手段】
【０００６】
本願第１の発明の放送受信装置は、チャンネル変更操作を検出し指定したチャンネルへの選局指示を行う選局制御部と、アナログ放送を受信して前記選局制御部からの指示に応じたチャンネルの映像信号あるいは音声信号のうち少なくとも一方を含む映像音声信号に復調するアナログ放送受信処理部と、デジタル放送を受信して前記選局制御部からの指示に応じたチャンネルの映像データあるいは音声データのうち少なくとも一方を含む映像音声ストリームを抽出するデジタル放送受信処理部と、前記映像音声ストリームをデコードして映像音声信号に復号する映像音声デコード部と、前記アナログ放送受信処理部からの映像音声信号と前記デコード部からの映像音声信号とから前記選局制御部の指示に応じた映像音声信号を選択し出力するスイッチ部と、所定の情報を視覚的に伝えるための画像を生成する画像生成部と、前記スイッチ部からの映像音声信号を入力とし前記画像生成部からの映像と切り替えてあるいは多重して出力する映像音声出力処理部とからなる放送受信装置であって、所定の切り替え操作によって、前記アナログ放送受信処理部の電源供給を停止すると共に、アナログ放送に関わる機能を無効化することを特徴とする。
【０００７】
本願第２の発明の放送録画再生装置は、チャンネル変更操作を検出し指定したチャンネルへの選局指示を行う選局制御部と、アナログ放送を受信して前記選局制御部からの指示に応じたチャンネルの映像信号あるいは音声信号のうち少なくとも一方を含む映像音声信号に復調するアナログ放送受信処理部と、前記アナログ放送受信処理部からの映像音声信号をデータ圧縮して映像音声ストリームを生成する映像音声エンコード部と、デジタル放送を受信して前記選局制御部からの指示に応じたチャンネルの映像データあるいは音声データのうち少なくとも一方を含む映像音声ストリームを抽出するデジタル放送受信処理部と、前記映像音声エンコード部からの映像音声ストリームと前記デジタル放送受信処理部からの映像音声ストリームとから前記選局制御部の指示に応じた映像音声ストリームを選択し出力するスイッチ部と、録画時には前記スイッチ部からの映像音声ストリームを記録メディアに記録する記録再生部と、再生時には前記記録再生部からの再生映像音声ストリームをデコードして映像音声信号に復号する映像音声デコード部と、所定の情報を視覚的に伝えるための画像を生成する画像生成部と、前記映像音声デコード部からの映像音声信号を入力とし前記画像生成部からの映像と切り替えてあるいは多重して出力する映像音声出力処理部とからなる放送録画再生装置であって、所定の切り替え操作によって、前記アナログ放送受信処理部の電源供給を停止あるいは前記アナログ放送受信処理部と前記映像音声エンコード部の両方の電源供給を停止すると共に、アナログ放送に関わる機能を無効化することを特徴とする。
【発明の効果】
【０００８】
本発明によれば、アナログ放送の停波直後に実施する所定の操作によってアナログ放送受信部への電源供給を停止することで、停波後には不要な装置の消費電力を削減することができる。また、あわせてアナログ放送に関わる機能を無効化することでユーザに余計な操作を強いることもなくなり、デジタル放送専用の放送受信装置あるいは放送録画再生装置と同様の良好な操作性を実現することができる。
【発明を実施するための最良の形態】
【０００９】
以下、本発明の実施の形態について、図１から図３を用いて説明する。
【００１０】
（実施の形態１）
図１は本発明の実施の形態１における放送受信装置の構成図である。地上アナログ放送用アンテナから各チャンネルの放送波が周波数多重されたＲＦ信号がアナログ放送受信処理部１に入力される。アナログ放送受信処理部１ではユーザが選択しているチャンネルに対応した周波数帯の信号をフィルタリングしＦＭ復調することで選局したチャンネルの映像・音声信号１０１が得られる。また、地上デジタル放送用アンテナから各チャンネルの放送波が周波数多重されたＲＦ信号がデジタル放送受信処理部２に入力される。デジタル放送処理部２ではユーザが選択しているチャンネルに対応した周波数帯の信号をフィルタリングしＯＦＤＭ復調し誤り訂正を施すことで圧縮映像データと圧縮音声データが多重化されたトランスポートストリーム（以降、ＴＳと略す）２０１が得られる。このＴＳ２０１はＡＶデコード部３に入力される。ＡＶデコード部３では、ＴＳ２０１より圧縮映像データと圧縮音声データを抽出し、それぞれ映像デコード処理、音声デコード処理を施すことで、映像・音声信号３０１に伸張される。デジタル放送で伝送されるＴＳから映像・音声信号への伸張処理の詳細は文献「最新ＭＰＥＧ教科書：マルチメディア通信研究会編、藤原洋監修、アスキー出版社」の第７〜１１章を参照のこと。
【００１１】
アナログ放送を受信して得た映像・音声信号１０１とデジタル放送を受信しデコードして得た映像・音声信号３０１とはスイッチ４に入力される。スイッチ４ではユーザがアナログ放送を選局している場合は“１”側が、デジタル放送を選局している場合には“２”側が選択され、選択された側の映像・音声信号４０１がＡＶ出力処理部５に入力される。ＡＶ出力処理部５では、通常のＴＶ視聴時には映像・音声信号４０１がそのまま出力端子６より出力され、ユーザが電子番組ガイド（以降、ＥＰＧと略す）の表示を選択した場合には画像生成部で生成したＥＰＧ画面の映像・音声信号５０１が出力される。
【００１２】
ＥＰＧ画面を生成するためのＥＰＧ情報は、例えば次の３つの手段のいずれかで取得することができる。１つ目の手段では、アナログ放送で送信される映像信号の垂直帰線期間にＥＰＧ情報を予め多重した放送を受信し、受信装置側でＥＰＧ情報を抽出することでＥＰＧ情報を取得する。２つ目の手段では、デジタル放送で送られてくる付加情報にアナログ放送のＥＰＧ情報も入れて放送し、受信側でそれを抽出することでＥＰＧ情報を取得する。３つ目の手段では、受信装置をネットワークに接続し、同様にネットワークに接続されたＥＰＧ情報配信用のサーバーよりネットワーク経由でＥＰＧ情報を取得する。
【００１３】
アナログ放送とデジタル放送とが共に放送されている場合には、ユーザはチャンネルアップダウンキーを使って、見たいチャンネルを選択することができる。チャンネルアップキーを使ってチャンネルを変える場合の遷移の一例を図２（１）に示す。まず地上アナログ放送の１ｃｈ、２ｃｈとチャンネルアップし地上アナログ放送が終わると地上デジタル放送のチャンネル、ＢＳデジタル放送のチャンネル、ＣＳデジタル放送のチャンネルと遷移する。さらにチャンネルアップキーを押すと、地上アナログ放送のチャンネルに戻る。ユーザはこの機能を使って視覚的にどのような番組が各チャンネルで放送されているか把握し、最終的に視聴するチャンネルを決めることができる。
【００１４】
アナログ放送が停波した直後には、ユーザが機器に付いているスイッチを切り替えることで、アナログ放送受信処理部１への電源供給が停止し、消費電力が抑えられる。また合わせて、アナログ放送のＥＰＧ表示機能が無効化される。例えば、リモコンにアナログ放送専用のＥＰＧ表示ボタンがある場合、このボタンを押しても何らレスポンスは無い、あるいは「無効なキーです」といったメッセージがＴＶ画面に表示される。これに対し、従来の放送受信装置だと、アナログ放送ＥＰＧ表示機能が有効なままであるため、例えば、「番組情報が取得できていません」といったメッセージがＴＶ画面上に表示されることになったり、ＥＰＧ画面は表示されるが番組タイトルが空欄のままになったりする。また、リモコンにアナログ放送とデジタル放送共通のＥＰＧ表示ボタンがある場合、このボタンを押すとデジタル放送のＥＰＧのみが表示される。これに対し、従来の放送受信装置だと、アナログ放送ＥＰＧ表示機能が有効なままであるため、アナログ放送とデジタル放送の両方のＥＰＧが表示され、アナログ放送のＥＰＧは空欄のままで表示されてしまう。
【００１５】
さらに、チャンネルアップダウンキーによる選局動作でもアナログ放送の選局が無効化される。その一例を図２（２）に示す。まずデジタル地上放送の１ｃｈ、２ｃｈとチャンネルアップしデジタル地上放送が終わるとＢＳデジタル放送のチャンネル、ＣＳデジタル放送のチャンネルと遷移する。さらにチャンネルアップキーを押すと、デジタル地上放送のチャンネルに戻る。これに対し、従来の放送受信装置だと、アナログ放送選局機能が有効なままであるため、チャンネルアップ途中にアナログ放送の各チャンネルが選局されノイズ状の画面がＴＶ画面上に表示されることになる。
【００１６】
ここでは、アナログ放送が停波した直後に、ユーザが機器に付いているスイッチを切り替える場合について説明したが、以下で説明する手段のいずれによって切り替えても良い。１つ目の手段としては、ユーザがリモコンあるいは機器本体の所定のボタンを押すことでＴＶ画面上に設定のためのメニュー画面を表示し、その中よりアナログ放送有効／無効切り替えメニューを選択し、アナログ放送を無効に設定することで切り替える。２つ目の手段としては、放送あるいは本機器が接続されているネットワーク経由で切り替え指示を受けて切り替える。アナログ放送では映像信号の垂直帰線期間に指示データを多重すれば良いし、デジタル放送では放送ＴＳに含まれる特定パケット内に指示データを入れておけば良い。また、ネットワークに本機器が接続されていればネットワーク経由で外部からの切り替え指示を受けることも可能である。３つ目の手段としては、ユーザが切り替え日時を予め設定しておき、機器内蔵のタイマーが切り替え指定日時に達した時に切り替える。ここで、切り替え日時はユーザが設定するのではなく、放送あるいはネットワーク経由で送られてきても良い。第４の手段としては、デジタル放送あるいはネットワーク経由で、アナログ受信部の電源供給を停止しアナログ放送に関する機能を無効化する新たな機器制御プログラムを受信し、そのプログラムに入れ替えることで切り替える。同様に新たな機器制御プログラムが記録されているディスクやメモリーカードなどのメディアを本機器に装着することで、そのプログラムに入れ替えることで切り替えても良い。
【００１７】
ここでは、アナログ放送に関する機能が無効化される例として、アナログ放送のＥＰＧ表示機能とチャンネルアップダウン機能について説明したが、それ以外にアナログチャンネルの受信周波数自動調整機能などアナログ放送がされていないと意味を成さない機能は全て無効化される。
【００１８】
（実施の形態２）
図３は本発明の実施の形態２における放送録画再生装置の構成図である。地上アナログ放送用アンテナから各チャンネルの放送波が周波数多重されたＲＦ信号がアナログ放送受信処理部１に入力される。アナログ放送受信処理部１ではユーザが選択しているチャンネルに対応した周波数帯の信号をフィルタリングしＦＭ復調することで選局したチャンネルの映像・音声信号１０１が得られる。この映像・音声信号１０１はＡＶエンコード部７に入力される。また、地上デジタル放送用アンテナから各チャンネルの放送波が周波数多重されたＲＦ信号がデジタル放送受信処理部２に入力される。デジタル放送処理部２ではユーザが選択しているチャンネルに対応した周波数帯の信号をフィルタリングしＯＦＤＭ復調し誤り訂正を施すことで圧縮映像データと圧縮音声データが多重化されたＴＳ２０１が得られる。ＡＶエンコード部７では、映像・音声信号１０１に対して映像・音声エンコード処理を施すことで圧縮映像データと圧縮音声データを生成し、それぞれのデータを多重化処理することでＴＳ７０１を生成する。映像・音声信号からＴＳへのエンコード処理の詳細は文献「最新ＭＰＥＧ教科書：マルチメディア通信研究会編、藤原洋監修、アスキー出版社」の第７〜１１章を参照のこと。
【００１９】
デジタル放送を受信して得たＴＳ２０１とアナログ放送を受信しエンコードして得たＴＳ７０１とはスイッチ８に入力される。スイッチ８ではユーザが録画チャンネルとしてアナログ放送を選局している場合は“１”側が、デジタル放送を選局している場合には“２”側が選択され、選択された側のＴＳ８０１がストリーム記録処理部９に入力される。ストリーム記録処理部９ではＴＳ８０１に対して記録のための処理が施され記録再生部１０で記録メディアに記録される。ここで、記録メディアとは磁気テープ、磁気ディスク、光ディスクや半導体メモリーといったデジタルデータを記録再生できるメディアである。
【００２０】
ストリーム記録処理部９における処理の一例を説明する。入力されるＴＳ８０１を構成するパケットごとにパケット到着タイミングを表わすタイムスタンプを多重する。例えば１８８バイトのパケットに４バイトのタイムスタンプを多重して１９２バイトにする。このタイムスタンプ付パケットを所定の個数だけ集めて記録ブロックを生成し誤り訂正符号を付与して記録メディアに記録する。
【００２１】
再生指示を受けて、記録されているストリームが記録再生部１０より再生されストリーム再生処理部１１に入力される。ストリーム再生処理部１１では再生のための処理が施され再生ＴＳ１１１が出力される。
【００２２】
ストリーム再生処理部１１における処理の一例を説明する。まず、再生信号は誤り訂正処理がなされ、誤りがあれば訂正される。訂正できない誤りがある場合には、再度記録メディアより再生して誤り訂正処理をやり直す。誤り訂正されたストリームはパケットごとに多重されているタイムスタンプの示すタイミングにあわせて出力することで再生ＴＳ１１１が生成される。
【００２３】
再生ＴＳ１１１はスイッチ１２に入力される。再生時にはスイッチ１２では“２”側が選択され再生ＴＳ１１１がＡＶデコード部３に入力される。ＡＶデコード部３では、再生ＴＳ１１１より圧縮映像データと圧縮音声データを抽出し、それぞれ映像デコード処理、音声デコード処理を施すことで、再生映像・音声信号３０１に伸張される。再生映像・音声信号３０１はスイッチ４に入力される。再生時にはスイッチ４では“２”側が選択され再生映像・音声信号３０１がＡＶ出力処理部５に入力される。ＡＶ出力処理部５では、通常の再生時には再生映像・音声信号３０１がそのまま出力端子６より出力され、ユーザが再生番組情報や再生経過時間の表示を選択した場合には画像生成部で生成した再生付随情報５０２を再生映像の所定の位置に多重した映像・音声信号が出力される。
【００２４】
続いて放送視聴時の処理について説明する。デジタル放送ＴＳ２０１はスイッチ１２に入力される。放送視聴時にはスイッチ１２では“１”側が選択されデジタル放送ＴＳ２０１がＡＶデコード部３に入力される。ＡＶデコード部３では、再生ＴＳ２０１より圧縮映像データと圧縮音声データを抽出し、それぞれ映像デコード処理、音声デコード処理を施すことで、デジタル放送映像・音声信号３０１に伸張される。デジタル放送映像・音声信号３０１はスイッチ４にアナログ放送映像・音声信号１０１とともに入力される。スイッチ４ではユーザがアナログ放送を選局している場合は“１”側が、デジタル放送を選局している場合には“２”側が選択され、選択された側の映像・音声信号４０１がＡＶ出力処理部５に入力される。ＡＶ出力処理部５では、通常のＴＶ視聴時には映像・音声信号４０１がそのまま出力端子６より出力され、ユーザがＥＰＧの表示を選択した場合には画像生成部で生成したＥＰＧ画面の映像・音声信号５０１が出力される。ＥＰＧ画面を生成するためのＥＰＧ情報は、実施の形態１で説明した手段で取得することができる。
【００２５】
アナログ放送が停波した直後には、ユーザが機器に付いているスイッチを切り替えることで、アナログ放送受信処理部１およびＡＶエンコード部７への電源供給が停止し、消費電力が抑えられる。また合わせて、アナログ放送のＥＰＧ表示機能、アナログ放送の選局機能、アナログ放送の録画機能が無効化される。アナログ放送のＥＰＧ表示機能とアナログ放送の選局機能の無効化については第１の実施例での説明と同様である。
【００２６】
アナログ放送録画機能の無効化について説明する。通常、放送番組の録画には２種類の方法がある。録画ボタンを押すことで、現在放送中の番組を録画開始し、停止ボタンを押すことで録画終了する「マニュアル録画」と、予めＥＰＧ画面上などで録画したい番組を指定しておくことで自動的に録画してくれる「予約録画」である。まず、マニュアル録画においては、アナログ放送の選局機能と同様に録画チャンネルとしてアナログ放送のチャンネルが選択できなくなることで無効化される。また、予約録画においては、アナログ放送の予約録画用のＥＰＧ画面が表示されなくなることで無効化される。デジタル放送の予約録画用のＥＰＧ画面は表示される。また、以前になされているアナログ放送の予約録画は取り消される。この時、ＴＶ画面上には予約取り消しのメッセージが表示される。あるいは、同一の番組がデジタル放送で放送される予定の場合には予約をそちらに設定しなおす。
【００２７】
ここでは、アナログ放送が停波した直後に、ユーザが機器に付いているスイッチを切り替える場合について説明したが、実施の形態１で説明した他の手段によって切り替えても良い。
【００２８】
アナログ放送に関する機能が無効化される例として、アナログ放送のＥＰＧ表示機能とチャンネルアップダウン機能およびアナログ放送の録画機能について説明したが、それ以外にアナログチャンネルの受信周波数自動調整機能などアナログ放送がされていないと意味を成さない機能は全て無効化される。
【００２９】
実施の形態１として映像・音声信号を出力端子６より出力する放送受信装置の場合について説明したが、ＴＶ表示部およびスピーカ部を備える放送受信装置を含むＴＶ装置の場合でも同様である。また、実施の形態２として映像・音声信号を出力端子１３より出力する場合について説明したが、ＴＶ表示部およびスピーカ部を備える録画再生装置内蔵のＴＶ装置の場合でも同様である。
【産業上の利用可能性】
【００３０】
本発明にかかる放送受信装置および放送録画再生装置は、アナログ放送の停波直後に実施する所定の操作によってアナログ放送受信部の電源供給を停止するとともにアナログ放送に関わる機能を無効化することによって、不要な消費電力を削減するとともにアナログ放送に関連する機能を無効化することでデジタル放送専用機器と同様の良好な操作性を実現することが必要な用途にも適用できる。
【図面の簡単な説明】
【００３１】
【図１】本発明の実施の形態１における放送受信装置のブロック構成図
【図２】本発明の実施の形態１、２におけるチャンネルアップ時の放送受信チャンネルの遷移を示す説明図
【図３】本発明の実施の形態２における放送録画再生装置のブロック構成図
【符号の説明】
【００３２】
１    アナログ放送受信処理部
２    デジタル放送受信処理部
３    映像音声（ＡＶ）デコード部
４    映像音声信号スイッチ
５    映像音声（ＡＶ）出力処理部
６、１３    映像音声（ＡＶ）出力端子
７    映像音声（ＡＶ）エンコード部
８、１２    ストリームスイッチ
９    ストリーム記録処理部
１０    記録再生部
１１    ストリーム再生処理部
【図１】
2006108974.tif 000003
【図２】
2006108974.tif 000004
【図３】
2006108974.tif 000005